(57)【特許請求の範囲】
【請求項１】
テープ体が巻回されたテープ供給リールを支軸に回転可能に装着し、上記テープ体を上記テープ供給リールから供給しながら他のテープリールに装着するに際し、
上記テープ供給リールは、上記支軸の外径と略同寸法の内径を有する円筒形のハブと、上記ハブに巻回される上記テープ体とから構成されて、上記ハブは、少なくとも内周面側が弾性材料で形成され、
上記テープ供給リールに巻回されたテープ体の巻回端面に位置決め部材を突き当て、上記テープ供給リールを位置決め保持することを特徴とする巻装方法。
【請求項２】
上記位置決め部材は、上記支軸の外周に沿うように略円形に形成されることを特徴とする請求項１記載の巻装方法。
【請求項３】
上記位置決め部材は、円周上の複数箇所に突当凸部を有してなることを特徴とする請求項１記載の巻装方法。
【請求項４】
上記位置決め部材は、上記支軸と一体に形成されてなることを特徴とする請求項１記載の巻装方法。
【請求項５】
テープ体が巻回されたテープ供給リールと、
上記テープ供給リールを回転可能に支持する支軸と、
上記テープ供給リールに巻回されたテープ体の巻回端面に突き当てられる位置決め部材と、
上記テープ供給リールから供給されるテープ体が巻装されるテープリールとを備え、
上記テープ供給リールは、上記支軸の外径と略同寸法の内径を有する円筒形のハブと、上記ハブに巻回される上記テープ体とから構成されて、上記ハブは、少なくとも内周面側が弾性材料で形成され、
上記テープ供給リールが上記位置決め部材によって上記支軸に位置決め保持されることを特徴とする巻装装置。
【請求項６】
上記位置決め部材は、上記支軸の外周に沿うように略円形に形成されることを特徴とする請求項５記載の巻装装置。
【請求項７】
上記位置決め部材は、円周上の複数箇所に突当凸部を有してなることを特徴とする請求項５記載の巻装装置。
【請求項８】
上記位置決め部材は、上記支軸と一体に形成されてなることを特徴とする請求項５記載の巻装装置。
【発明の詳細な説明】
【０００１】
【発明の属する技術分野】
本発明は、テープ供給リールに巻回されたテープ体の巻装方法に関し、また、テープ体が巻回されてなるテープ供給リールを装着する巻装装置に関する。
【０００２】
【従来の技術】
テープカートリッジには、テープ状の磁気記録媒体（以下、磁気テープと称する。）が巻装された一対のテープリールが収納されている。磁気テープは、幅広に形成された原反テープを所定の幅寸法に裁断することにより形成される。また、磁気テープは、所定の径寸法を有するハブに巻装されてテープ供給リール（以下、パンケーキと称する。）を構成し、巻装装置でパンケーキから引き出され、テープリールに巻装される。
【０００３】
巻装装置は、図６に示すように、基台１００と、基台１００上に配されて回動動作自在に配される回転軸１０１と、この回転軸１０１に取り付けられる支軸１０２とから構成されるパンケーキ取付け部１０３を備える。また、この巻装装置では、パンケーキ取付け部１０３の支軸１０２に上述したパンケーキ１０４が装着される。このパンケーキ１０４は、支軸１０２の外径と略同寸法の内径を有するハブ１０５と、このハブ１０５に巻回される磁気テープ１０６とから構成されている。
【０００４】
また、この巻装装置は、支軸１０２の基端部側に取付け台１０７を有している。さらに、この巻装装置では、この取付け台１０７上にピン１０８が立設されており、ハブ１０５に設けられた係合溝（図示せず。）とこのピン１０８とが係合することにより支軸１０２にパンケーキ１０４が確実に装着される。
【０００５】
このように構成された巻装装置は、ハブ１０５が支軸１０２にはめ込まれることによって、パンケーキ１０４を装着する。そして、この巻装装置は、パンケーキ取付け部１０３に装着されたパンケーキ１０４から磁気テープ１０６を引き出す。そして、引き出された磁気テープ１０６は、走行系を経てテープカートリッジ等のテープリールに所定の長さ寸法を巻装される。
【０００６】
上述したような巻装装置では、支軸１０２に装着されたパンケーキ１０４から引き出された磁気テープ１０６がテープリールに巻装されるため、パンケーキ１０４が正確に位置決めされた状態で装着される必要がある。このため、従来の巻装装置では、パンケーキ１０４を支軸１０２に装着するときに、ハブ１０５の基端部側の端面と取付け台１０７とを当接させることによって、パンケーキ１０４の正確な位置決めを行っていた。
【０００７】
【発明が解決しようとする課題】
上述したような、従来の巻装装置では、パンケーキ１０４を正確に装着する目的でハブ１０５の基端部側の端面と取付け台１０７とを当接させていた。このため、ハブ１０５は、取付け台１０７に対して正確に位置決めされた状態で取り付けられることになる。
【０００８】
しかしながら、上述したような巻装装置では、ハブ１０５を取付け基台１０７に正確に取り付けたとしても、ハブ１０５に巻回された磁気テープ１０６と取付け台１０７とを正確に位置決めすることにはならない。すなわち、磁気テープ１０６は、ハブ１０５に対して常に同様に巻回されることはなく、巻回される位置がパンケーキ１０４によっては異なっていた。
【０００９】
具体的には、図７及び図８に示すように、磁気テープ１０６がハブ１０５の高さ方向にズレた位置に巻回さることがある。このとき、ズレの大きさは、約２．５ｍｍ程度にまで達していた。このような場合、上述したような巻装装置では、ハブ１０５と取付け台１０７とが正確に位置決めされたとしても、磁気テープ１０６が異なる位置から供給されることになる。その結果、この巻装装置では、磁気テープ１０６をテープリールに巻装する際の走行系において、ガイドローラ等との接触状態が劣化してしまう。すなわち、磁気テープ１０６は、パンケーキ１０４より供給されるときの高さが異なると、走行系におけるガイドローラ等のフランジ部と接触してしまいエッジダメージを発生してしまう。
【００１０】
また、図９に示すように、パンケーキ１０４の中には、ハブ１０５に対して磁気テープ１０６が水平に巻回されす、所定のズレ角度をもって巻回されるものもある。このような場合、巻回された磁気テープ１０６の外周部付近が取付け台１０７と接触する虞れがあり、磁気テープ１０６を破損することがあった。
【００１１】
従来の技術で、磁気テープ１０６を、常に、ハブ１０５上の一定の位置に巻回し、且つハブ１０５に対して水平に巻回することは困難であり、従来の巻装装置では、磁気テープ１０６にエッジダメージを与えてしまうといった問題点があった。
【００１２】
そこで、本発明は、上述したような問題点に鑑みて提案されたものであり、パンケーキを装着する際にテープ体を正確に位置決めすることができ、テープ体にエッジダメージ等を発生させるこがない巻装方法の提供を目的とする。
【００１３】
また、本発明は、上述した問題点に鑑みて提案されたものであり、テープ体にエッジダメージ等を発生させることがないように、テープ体を正確に供給することができる巻装装置を提供することを目的とする。
【００１４】
【課題を解決するための手段】
上述した目的を達成した本発明に係る巻装方法は、テープ体が巻回されたテープ供給リールを支軸に回転可能に装着し、上記テープ体を上記テープ供給リールから供給しながら他のテープリールに装着するに際し、上記テープ供給リールは、上記支軸の外径と略同寸法の内径を有する円筒形のハブと、上記ハブに巻回される上記テープ体とから構成されて、上記ハブは、少なくとも内周面側が弾性材料で形成され、上記テープ供給リールに巻回されたテープ体の巻回端面に位置決め部材を突き当て、上記テープ供給リールを位置決め保持することを特徴とする。
【００１５】
以上のように構成された本発明に係る巻装方法によれば、位置決め部材がテープ体の巻回端面に突き当てられることによって、テープ供給リールを位置決めして保持している。このため、本発明に係る手法によれば、テープ体が位置決め部材に対して、常に、所定の位置関係を有することとなる。このため、この手法では、テープ体が安定的に走行するように巻回されたテープ体を位置決めし、テープ供給リールを保持することができる。したがって、本発明に係る巻装方法は、テープ体が他のテープリールに巻装される際、テープ体にエッジダメージ等を発生させることがないようにテープ供給リールを保持することができる。
【００１６】
また、本発明に係る巻装装置は、テープ体が巻回されたテープ供給リールと、このテープ供給リールを回転可能に支持する支軸と、このテープ供給リールに巻回されたテープ体の巻回端面に突き当てられる位置決め部材と、このテープ供給リールから供給されるテープ体が巻装されるテープリールとを備え、上記テープ供給リールは、上記支軸の外径と略同寸法の内径を有する円筒形のハブと、上記ハブに巻回される上記テープ体とから構成されて、上記ハブは、少なくとも内周面側が弾性材料で形成されている。そして、この巻装装置は、上記テープ供給リールが上記位置決め部材によって上記支軸に位置決め保持されることを特徴とする。
【００１７】
以上のように構成された本発明に係る巻装装置は、位置決め部材がテープ体の巻回端面に突き当てられることによりテープ供給リールを位置決めしている。このため、この巻装装置では、常に、巻回されたテープ体と位置決め部材とが所定の位置関係を有することとなる。すなわち、この巻装装置では、位置決め部材が直接テープ体の位置を規制するため、テープ体は、常に、安定的に供給される。このため、この巻装装置では、テープ体がテープリールに巻装される際にエッジダメージ等を発生することがない。
【００１８】
【発明の実施の形態】
以下、本発明に係る巻装方法及び巻装装置の好適な実施の形態を図面を参照しながら詳細に説明する。
【００１９】
本実施の形態に係る巻装装置は、図１に概略的に示すように、例えば、磁気テープ１が巻回されたテープ供給リール２（以下、パンケーキ２）から磁気テープ１を引き出し、テープカートリッジ３内のテープリール（図示せず。）に巻装するものである。
【００２０】
この巻装装置は、パンケーキ２を装着する一対のパンケーキ取付け部４Ａ，４Ｂと、パンケーキ２から引き出された磁気テープ１の走行系に配される複数個のガイドローラ５と、テープカートリッジ３内に巻装される磁気テープ１を所定の長さで切断する切断部６と、一対のパンケーキ取付け部４Ａ，４Ｂにそれぞれ装着されたパンケーキ２のうち用いるパンケーキ２を選択的に切り替える切替え部７とから構成されている。
【００２１】
この巻装装置は、図１には図示しないが、一対のパンケーキ取付け部４Ａ，４Ｂに装着されたパンケーキ２を回転駆動させる駆動手段と、テープカートリッジ３内のテープリールを回転駆動させる駆動手段とを備える。
【００２２】
この巻装装置では、パンケーキ取付け部４Ａ，４Ｂは、図２に示すように、駆動手段であるモータ１０と、このモータ１０が取り付けられるベース１１と、このモータ１０からの駆動力を伝達する回転軸１２と、このベース１１に取り付けられて回転軸１２を支持する軸支持台１３と、回転軸１２の回転力を伝達してパンケーキ２を取り付ける取付け部１４と、この取付け部１４を取り付けるケーシング１５と、このケーシング１５とベース１１との間に配されてケーシング１５を支持する複数本の支柱１６とから構成されている。
【００２３】
この巻装装置において、取付け部１４は、パンケーキ２を装着する支軸１８と、この支軸１８に装着されたパンケーキ２の位置決めをする位置決め部材１９と、この位置決め部材１９上に立設されたピン２０と、とめネジ２１を有して回転軸１２を取り付ける取付け部材２２Ａ，２２Ｂとから構成されている。この取付け部１４では、ケーシング１５上の支軸１８が形成された面とは反対の面に、取付け部材２２Ａ，２２Ｂが配設されている。
【００２４】
支軸１８は、詳細を後述するパンケーキ２を装着するものであり、所定の系寸法を有する略円筒形を呈する。支軸１８は、パンケーキ２を装着しやすくするために先端部側が面取りされて構成されている。また、支軸１８は、回転軸１２に軸装されるように構成されており、回転軸１２からの回転力が伝達される。
【００２５】
位置決め部材１９は、図３に示すように、リング状に形成され、外周部にフランジ状の突当凸部１９Ａを備える。このとき、位置決め部材１９においては、この突当凸部１９Ａが所定の高さを有するとともに、突当凸部１９Ａの上面が全域に亘って水平となるように構成されている。なお、この位置決め部材１９は、突当凸部１９Ａが外周の全域に形成されている必要はなく、少なくとも一部に突当凸部１９Ａを有するような構成であればよい。しかしながら、突当凸部１９Ａは、外周の対称な位置に形成されることが好ましい。
【００２６】
この取付け部１４に取り付けられるパンケーキ２は、支軸１８の外径と略同寸法の内径を有する円筒形のハブ２５と、このハブ２５に巻回される磁気テープ１とから構成されている。このパンケーキ２においては、ハブ２５は、少なくとも内周面側が弾性材料で形成されており、ピン２０と係合する係合溝（図示せず。）が形成されている。
【００２７】
以上のように構成された本発明に係る巻装装置は、図１に示したように、パンケーキ２から磁気テープ１を引き出すとともにテープカートリッジ３のテープリールに巻装する。
【００２８】
この巻装装置は、２巻のパンケーキ２を装着することができ、一方のパンケーキ２に巻回された磁気テープ１を引き出し終わると他方のパンケーキ２から磁気テープ１を引き出し始める。このとき、巻装装置は、切替え部７により２巻のパンケーキ２を選択的に切り替えて使用している。
【００２９】
いずれか一方のパンケーキ２から引き出された磁気テープ１は、複数個のガイドローラ５により構成される走行経路を走行する。このとき、複数個のガイドローラ５は、走行する磁気テープ１に所定のテンションを付与している。
【００３０】
そして、磁気テープ１は、走行経路を走行した後にテープカートリッジ３内のテープリールに巻装される。このとき、巻装装置は、テープリールに巻装される磁気テープ１の長さ寸法を測定している。そして、切断部６は、所定の長さ寸法の磁気テープ１が巻装されると磁気テープ１を切断する。これにより、この巻装装置は、データカートリッジ３内のテープリールに所定量の磁気テープ１を巻装することができる。
【００３１】
このとき、巻装装置は、パンケーキ取付け部４Ａ，４Ｂに装着されたパンケーキ２をモータ１０により所定の速度で回転させる。そして、回転されたパンケーキ２からは、磁気テープ１が引き出され、走行経路を走行することとなる。
【００３２】
この巻装装置では、図２及び図３に示したように、パンケーキ２がパンケーキ取付け部４Ａ，４Ｂに取り付けられる際、ハブ２５に巻回された磁気テープ１の巻回端面に位置決め部材１９の突当凸部１９Ａが突き当てられることによって、パンケーキ２の位置決めを行っている。このため、この巻装装置では、常に、走行経路に対して磁気テープ１を安定的に供給することができる。言い換えると、この巻装装置では、パンケーキ取付け部４Ａ，４Ｂと磁気テープ１との位置関係が常に一定であるため、磁気テープが１幅方向にずれることなしに走行経路に供給される。
【００３３】
具体的には、パンケーキ２としては、図４に示すように、磁気テープ１がハブ２５に対して中心付近に巻回されず、一方の端部付近に巻回されるものがある。このような場合でも、この巻装装置では、位置決め部材１９の突当凸部１９Ａが磁気テープ１の巻回端面に突き当てられることによって、パンケーキ２の位置決めを行っている。
【００３４】
すなわち、図３及び図４に示すように、ハブ２５に対して磁気テープ１が同じ位置に巻回されていない場合でも、位置決め部材１９の突当凸部１９Ａが磁気テープ１の巻回端面に突き当てられる。このため、磁気テープ１は、図３又は図４いずれに示した場合でも、パンケーキ取付け部４Ａ，４Ｂに対して一定の位置を有することとなる。
【００３５】
また、具体的には、パンケーキ２としては、図５に示すように、磁気テープ１がハブ２５に対して所定のズレ角をもって巻回されるものがある。このような場合でも、この巻装装置では、位置決め部材１９の突当凸部１９Ａが磁気テープ１の巻回端面に突き当てられることによって、パンケーキ２の位置決めを行っている。
【００３６】
すなわち、図３及び図５に示すように、磁気テープ１がハブ２５に対して水平に巻回されていないような場合でも、位置決め部材１９の突当凸部１９Ａが磁気テープ１の巻回端面に突き当てられる。このとき、ハブ２５は、内周面側が弾性材料で形成されているため、支軸１８に傾いて装着することができる。すなわち、支軸１８は、ハブ２５の内周面の一部を押圧するようにハブ２５を装着することとなる。このため、この図５に示したような場合でも、磁気テープ１は、パンケーキ取付け部４Ａ，４Ｂに対して一定の位置を有することとなる。
【００３７】
上述したように、本発明に係る巻装装置では、磁気テープ１がハブ２５に対して位置ズレを起こした状態で巻回されたとしても、安定的に磁気テープ１を走行経路に供給することができる。したがって、この巻装装置では、磁気テープ１が走行経路におけるガイドローラのフランジ部等と接触し難くなり、エッジダメージが発生し難くなる。
【００３８】
一方、上述した実施の形態に係る巻装装置では、リング状に形成され、外周部の少なくとも一部に突当凸部１９Ａを有する位置決め部材１９を用いて、パンケーキ２の位置決めを行っていた。しかしながら、本発明は、このような構成を有する位置決め部材１９を備える巻装装置に限定されるものではない。本発明に係る巻装装置は、例えは、位置決め部材１９が支軸１８と一体に形成されてなるような構成を有するものであってもよい。
【００３９】
この場合も、巻装装置は、ハブ２５に巻回された磁気テープ１と突当凸部とが当接することによって、パンケーキ２の位置決めを行うこととなる。このため、この巻装装置は、同様に、磁気テープ１を安定的に走行経路に対して供給することができる。
【００４０】
また、本実施の形態では、テープ体として磁気テープ１を用いたパンケーキ２を例示したが、本発明は、特に、テープ体の種類に限定されるものではない。本発明において使用できるテープ体としては、例えば、クリーニングテープ等を挙げることができる。
【００４１】
【発明の効果】
以上、詳細に説明したように、本発明に係る巻装方法及び巻装装置では、巻回されたテープ体の巻回端面に位置決め部材の突当凸部が突き当てられることによって、テープ供給リールを保持している。このため、本発明によれば、テープ供給リールによらず、巻回されたテープ体を所定の位置に保つことができる。
また、テープ体が巻回されたハブの内周面側が弾性材料で形成されているため、磁気テープがハブに対して所定のズレ角をもって巻回されているものでも所定の位置に保つことができる。
したがって、本発明によれば、テープ体にエッジダメージ等を発生させることがなく、安定的にテープ体を供給させることができる。
【図面の簡単な説明】
【図１】本発明に係る巻装装置の概略構成図である。
【図２】巻装装置に用いられるパンケーキ取付け部の要部側面図である。
【図３】パンケーキ取付け部のパンケーキの位置決め方法を拡大して示す要部縦断面図である。
【図４】パンケーキ取付け部のパンケーキの位置決め方法を拡大して示す要部縦断面図である。
【図５】パンケーキ取付け部のパンケーキの位置決め方法を拡大して示す要部縦断面図である。
【図６】従来の巻装装置に用いられるパンケーキ取付け部の要部側面図である。
【図７】従来の巻装装置におけるパンケーキ取付け部のパンケーキの位置決め方法を拡大して示す要部縦断面図である。
【図８】従来の巻装装置におけるパンケーキ取付け部のパンケーキの位置決め方法を拡大して示す要部縦断面図である。
【図９】従来の巻装装置におけるパンケーキ取付け部のパンケーキの位置決め方法を拡大して示す要部縦断面図である。
【符号の説明】
１  磁気テープ、２  パンケーキ、４Ａ，４Ｂ  パンケーキ取付け部、１８  支軸、１９  位置決め部材、
【図１】
0003567660.tif 000002
【図２】
0003567660.tif 000003
【図３】
0003567660.tif 000004
【図４】
0003567660.tif 000005
【図５】
0003567660.tif 000006
【図６】
0003567660.tif 000007
【図７】
0003567660.tif 000008
【図８】
0003567660.tif 000009
【図９】
0003567660.tif 000010